(57)【要約】【課題】  給水や排水のために特別な資材を用いることなく、また施工現場で特別な作業を行うことなく、植裁域に万遍なく給水することができ、また必要箇所から確実に排水することができるように緑化構造体、およびそのための植裁用見切り枠構造体を得る。【解決手段】  植裁用見切り枠構造体４０を、中空筒状体であり、その内部は長手方向に伸びる隔壁２１で上位の給水用領域２２と下位の集水用領域２３とに区画されており、かつ給水用領域２２およびまたは集水用領域２３を形成する壁部であって植裁域に面している部分には給水用細孔群２４と集水用細孔群２５が形成されている植裁用見切り材２０を用いて形成する。【選択図】図２
2007089412.tif 000002
【特許請求の範囲】
【請求項１】
緑化施設における植裁域と非植裁域または植裁域内を多区画に仕切るために用いられる植裁用見切り材であって、
該見切り材は長尺状の中空筒状体であり、その内部は長手方向に伸びる隔壁で上位の給水用領域と下位の集水用領域とに区画されており、かつ見切り材の前記給水用領域およびまたは集水用領域を形成する壁部であって植裁域に面している部分には細孔群が形成されていることを特徴とする植裁用見切り材。
【請求項２】
前記給水用領域および集水用領域を形成する壁部の双方に細孔群が形成されており、かつ双方の細孔群は同一側面側に形成されていることを特徴とする請求項１に記載の植裁用見切り材。
【請求項３】
前記給水用領域および集水用領域を形成する壁部の双方に細孔群が形成されており、かつそれぞれの細孔群は異なる側面側に形成されていることを特徴とする請求項１に記載の植裁用見切り材。
【請求項４】
請求項１〜３のいずれかに記載の植裁用見切り材と共に用いる第２の植裁用見切り材であって、該第２の見切り材は長尺状の中空筒状体であり、その内部は長手方向に伸びる隔壁で上下の領域に区画されていることを特徴とする植裁用見切り材。
【請求項５】
請求項１〜４のいずれかに記載の植裁用見切り材の複数個と隣接する植裁用見切り材同士を接続する接続用治具の複数個とを選択的に組み合わせて形成される植裁用見切り枠構造体であって、給水用領域には取水口が形成され、集水用領域には排水口が形成されていることを特徴とする植裁用見切り枠構造体。
【請求項６】
少なくとも見切り枠構造体として請求項５に記載の植裁用見切り枠構造体を備えることを特徴とする緑化構造体。
【発明の詳細な説明】
【技術分野】
【０００１】
本発明は、植裁用見切り材と植裁用見切り枠構造体およびそれを用いた緑化構造体に関し、限定されるものではないが、特に屋上緑化に好適に用いられる植裁用見切り材と植裁用見切り枠構造体およびそれを用いた緑化構造体に関する。
【背景技術】
【０００２】
都市緑化の一環として、あるいはヒートアイランド対策として、ビルの屋上や工場の屋根の上に植物を栽培する、いわゆる屋上緑化が行われている。屋上緑化の場合、植生に必要な土壌あるいは植裁マット等を屋根の上に安定的に保持し、かつ、効率よく植裁域に給水しまた排水することが必要であり、そのために、従来多くの提案がなされている。
【０００３】
特許文献１には陸屋根の上に防水シートを敷き、その上を植裁域と非植裁域とに見切り材を用いて仕切り、仕切られた植裁域内に土を入れて植物の栽培を行うようにした屋上緑化構造が記載されおり、そこにおいて、見切り材の一部を方形状に切り欠き、この切り欠き部分に対応する断面コ字状の部材を取り付けることによって、見切り材部分に排水口を形成することが記載されている。
【０００４】
特許文献２には折板屋根の上の緑化構造が記載されており、折板屋根の上に薄板を敷き詰め、傾斜方向に直交するようにして多段に仕切り材を取り付けた後、仕切り材と仕切り材との間に多数枚の植裁マットを敷設している。そして、植裁マットの上に散水管を配置して、給水するようにしている。
【０００５】
特許文献３には傾斜面に植裁を施す際に使用する植裁用保水排水ブロックが記載されており、該ブロックを傾斜屋根の上に、植裁面が階段状に配置し、その上に植生マットのような客土層を形成するようにしている。
【０００６】
【特許文献１】特開平１０−２１号公報
【特許文献２】特開２００３−１８４２３８号公報
【特許文献３】特開２００１−１６９６６５号公報
【発明の開示】
【発明が解決しようとする課題】
【０００７】
屋上のような人工的な基板の上に緑化構造を作るには、多くの場合、特許文献１に示すように、見切り材を用いて植裁域と非植裁域とを仕切ることが必要となる。また、植裁域が広い面積の場合、特に傾斜面では、植裁域の全体を適度に保水するために、特許文献２に示すように、植裁域内を見切り材で斜面に沿って適当な幅で仕切ることが必要となる。この場合も、外縁部を見切り材で囲う必要がある。特許文献３に記載のような階段状に配置できる植裁用保水排水ブロックを用いる場合は、傾斜方向に直交する方向に見切り材を取り付けることは一部省略することができるが、外縁部を見切り材で囲うことは必要である。
【０００８】
また、上記のような緑化構造体では、見切り材に加えて、植裁域に給水するための手段と、余剰な水を植裁域から排水する手段を別途設けることも必要となる。特許文献２に記載のように植裁マットの上に散水管を配置する形態は、配管のための作業が必要であり、また散水管が外側に飛び出ているので植生作業に障害物となりがちである。さらに、見た目にも違和感が伴う。特許文献１に記載のように、排水口を見切り材の一部に開口として形成することにより、植裁域の排水性を良好にすることができるが、排水域に偏りが出るのを避けられない。
【０００９】
本発明は、上記のような事情に鑑みてなされたものであり、緑化構造体において、給水や排水のために特別な資材を用いることなく、また施工現場で特別な作業を行うことなく、植裁域に万遍なく給水することができ、また必要箇所から確実に排水することができるようにした、植裁用見切り材と植裁用見切り枠構造体を提供することを目的とする。また、その植裁用見切り枠構造体を用いた緑化構造体を提供することも目的とする。
【課題を解決するための手段】
【００１０】
本発明による植裁用見切り材は、緑化施設における植裁域と非植裁域または植裁域内を多区画に仕切るために用いられる植裁用見切り材であって、該見切り材は長尺状の中空筒状体であり、その内部は長手方向に伸びる隔壁で上位の給水用領域と下位の集水用領域とに区画されており、かつ見切り材の壁面における前記給水用領域およびまたは集水用領域を形成する壁部であって植裁域に面している部分には細孔群が形成されていることを特徴とする。
【００１１】
上記の植裁用見切り材では、内部が給水用領域と集水用領域とに上下に区画されているので、その区画された内部空間を植裁域への給水のために、また植裁域からの排水のために利用することができる。従って、これまでのように、植裁域の上に散水管を配置すること、植裁域から余分な水分を排除するための排水口を別途形成すること、などが不要となり、緑化構造体の構築が容易となり、見た目も綺麗になる。また、細孔群を均一に分布させることにより、植裁域への均一な給水また植裁域から均一な排水が可能となる。
【００１２】
本発明による植裁用見切り材において、細孔群を形成する壁部は、前記給水用領域を形成する壁部および集水用領域を形成する壁部の双方であってもよく、いずれか一方であってもよい。当該植裁用見切り材が使用される場所に応じて、最適のものを選択して用いる。例えば、傾斜面に形成される緑化構造体の上端縁を仕切るのに用いる植裁用見切り材の場合には、給水用領域を形成する壁部のみに細孔群が形成されているものであってよく、前記緑化構造の下端縁を仕切るのに用いる植裁用見切り材の場合には、集水用領域を形成する壁部のみに細孔群が形成されているものであってよい。もちろん、双方の壁部に細孔群が形成されているものを用いても差し支えない。
【００１３】
植裁用見切り材が、前記給水用領域および集水用領域を形成する双方の壁部に細孔群が形成されている形態のものである場合、一つの形態では、双方の細孔群は同一側面側に形成され、他の形態では、それぞれの細孔群は異なる側面側に形成される。前者のものは、平坦な人工基板上に形成した緑化構造体において主に用いられ、後者のものは、傾斜した人工基板上に形成した緑化構造体において、その植裁域を傾斜方向に直交する方向に仕切るときの植裁用見切り材として主に用いられる。
【００１４】
本発明は、また、上記したいずれかの植裁用見切り材と共に用いる第２の植裁用見切り材として、該第２の見切り材は長尺状の中空筒状体であり、その内部は長手方向に伸びる隔壁で上下の領域に区画されていることを特徴とする植裁用見切り材をも開示する。この第２の植裁用見切り材は細孔群を有しないが、傾斜した人工基板上に形成した緑化構造体における左右の側縁を非植裁域から仕切る場合の植裁用見切り材として有効に用いることができる。
【００１５】
本発明は、さらに、上記したいずれかの植裁用見切り材の複数個と、隣接する植裁用見切り材同士を接続する接続用治具の複数個と、を選択的に組み合わせて形成される植裁用見切り枠構造体であって、給水用領域には取水口が形成され、集水用領域には排水口が形成されていることを特徴とする植裁用見切り枠構造体をも開示する。
【００１６】
上記の植裁用見切り枠構造体では、取水口から植裁用の水を供給すると、その水は上位の給水用領域内に滞留する。滞留した水は給水用領域の壁部に形成した細孔群から植裁域側に漏出して、植裁域内の土あるいは植生マットに給水する。一方、植裁域内の余分な水は、下位の集水用領域の壁部に形成された細孔群から集水用領域に入り込み、排出口から排出される。緑化構造体が傾斜面に形成されている場合は、最も低い位置に排出口を設けることにより、集水用領域に入り込んだ水を自然排水することができる。自然排水が困難な場合には、給水ポンプなどで引き出すようにしてもよい。いずれの場合も、引き出した水を前記取水口側に戻すようにすれば、節水効果も得られる。
【００１７】
上記の植裁用見切り枠構造体において、水平面に形成された緑化構造体の場合には、植裁用見切り枠構造体のすべての給水用領域およびすべての集水用領域は、それぞれ閉ループを構成するようにして連続していることが望ましい。しかし、緑化構造体が傾斜面に形成されている場合には、植裁用見切り枠構造体の上縁に位置する植裁用見切り材の給水用領域のみを連続した状態とし、かつそれを両側縁に位置する植裁用見切り材の給水用領域には連続しない状態とするような態様とすることもできる。その場合でも、集水用領域はすべてが閉ループを構成するように連続していることが望ましい。また、この場合に、前記した第２の植裁用見切り材を両側縁の見切り材として用いることが望ましい。
【００１８】
本発明は、さらに、少なくとも見切り枠構造体として上記の植裁用見切り枠構造体を備えることを特徴とする緑化構造体をも開示する。すなわち、上記の植裁用見切り枠構造体で仕切られた内部領域（植裁域）に、土を入れ播種したり、植生マットを入れたりすることにより、本発明による緑化構造体とされる。緑化構造体の下地側は任意であり、既に記したように、平坦なあるいは傾斜した屋根面であってもよく、ベランダであってもよく、打設コンクリートを表面に持つ任意の屋外構造物の前記コンクリート面であってもよい。
【００１９】
本発明において、上記した植裁用見切り材、第２の植裁用見切り材、および接続用治具は、耐水性と所要の強度を持つ任意の材料で作ることができる。例として、アルミニウムのような金属材料、繊維強化プラスチックのような樹脂材料、それらの複合材料などが挙げられる。これらの材料は軽量であり、屋上に緑化構造体を作るときの上載荷重を少なくすることができる効果もある。
【００２０】
また、必須ではないが、植裁用見切り材に形成した細孔群に透水性フィルタを取り付けることが好ましい。それにより、前記給水用領域およびまたは集水用領域に土壌などが入り込んで通水障害が生じるのを防ぐことができる。
【００２１】
傾斜した人工基板上に形成した緑化構造体の左右の側縁に本発明による植裁用見切り材を配置する場合、傾斜角度によっては、取水口から入り込んだ水が、その給水用領域を直ちに流下してしまい、上方の植裁域に十分な給水が行えない場合が起こり得る。それを回避するために、給水用領域内に、多段に堰を立てておくことが推奨される。それにより、水の流れは緩慢となり、植裁域全面へのほぼ均一な給水が可能となる。
【発明の効果】
【００２２】
本発明による植裁用見切り材を用いることにより、屋上や屋根面に構築する緑化構造において、給水や排水のための特別な資材を用いることなく、また施工現場で特別な作業を行うことなく、植裁域に万遍なく給水すること、および必要箇所から確実に排水することが可能となる。そのめたに、より低いコストで緑化構造体を構築しかつ維持することができるようになる。
【発明を実施するための最良の形態】
【００２３】
以下、図面を参照しながら、本発明を実施の形態に基づき説明する。図１は傾斜屋根の上に設置された緑化構造体の一例を示しており、図２と図３はそこで用いられる植裁用見切り枠構造体の２つの例を示している。また、図４は図３に示す植裁用見切り枠構造体を用いた緑化構造体の一部を示している。
【００２４】
図１において、１は傾斜屋根であり、その上に、上面側に多数の保水用凹部２を有する保水排水基盤材３が敷き詰められている。保水排水基盤材３の４周は、本発明による植裁用見切り枠構造体４０で囲われており、植裁用見切り枠構造体４０で仕切られた内部には、植生マット５が配置されている。植生マット５と保水排水基盤材３との間には透水性シートである不織布６が配置されていて、該不織布６は釘７で保水排水基盤材３に固定されている。植生マット５の土壌８には植物９が植生しており、植物９の根１０が不織布６に絡みつくことにより、植生マット５と不織布６とは一体化している。図示しないが、好ましくは、植裁用見切り枠構造体４０と保水排水基盤材３あるいは植生マット５とが接する部分にはシーリング剤による目地処理がなされる。
【００２５】
上記のような緑化構造体Ａにおいて、良好な植裁を行うには、植裁用見切り枠構造体４０で仕切られた植裁域に対して所定の給水を行うこと、また、降雨などで余剰水分が植裁域に発生したときには、その水を排水することが必要となる。本発明による植裁用見切り枠構造体４０は、以下に説明するように、それ自体で植裁域への給水と植裁域からの排水を効果的に行うことができる。
【００２６】
図２は、本発明による植裁用見切り枠構造体４０の一例を示す。本発明による植裁用見切り枠構造体４０は、基本的に、中空筒状体である植裁用見切り材２０と隣接する植裁用見切り材２０同士を接続する接続用治具３０とで構成される。植裁用見切り材２０は、その内部における上下方向のほぼ中央部に長手方向に伸びる隔壁２１を有していて、該隔壁２１により、上位の給水用領域２２と下位の集水用領域２３とに区画されている。そして、給水用領域２２を形成する壁部および集水用領域２３を構成する壁部であって植裁域に面する部分には、給水用細孔群２４と集水用細孔群２５が形成されている。
【００２７】
図２に例示的に示すものでは、同じ形態の６個の植裁用見切り材２０が用いられており、すべての植裁用見切り材２０において、給水用細孔群２４と集水用細孔群２５は同じ側面側に形成されている。そして、細孔群２４，２５のすべてが植裁域側に向くようにして接続用治具３０で矩形状に接続され、一つの植裁用見切り枠構造体４０を構成している。
【００２８】
接続用治具３０は、隣接する植裁用見切り材２０を直線的に接続する第１の接続用治具３１と、直角方向に接続する第２の接続用治具３２とからなり、一部の接続用治具３０（この例では、一方の偶部に位置する第２の接続用治具３２ａ）には、給水口３３が設けられ、他の接続用治具３０（この例では、第２の接続用治具３２ａと対角線上の偶部に位置する第２の接続用治具３２ｂ）には、排水口３４が設けられている。
【００２９】
各植裁用見切り材２０と接続用治具３０とは、水漏れがないようにして、かつすべての給水用領域２２が一つの閉ループを形成し、また、すべての集水用領域２３が一つの閉ループを形成するようにして、相互に接続されている。
【００３０】
上記の植裁用見切り枠構造体４０により保水排水基盤材３と植裁マット群５の４周を取り囲み、植裁域と非植生位置に区分けする。その際に、給水口３３を備えた第２の接続用治具３２ａが傾斜屋根１の斜面上位に位置し、排水口３４を備えた第２の接続用治具３２ｂが斜面下位に位置するようにして取り囲む。そのようにして得られた緑化構造体Ａにおいて、給水口３３から給水ホース（不図示）等で給水すると、水は傾斜上方に位置する植裁用見切り材２０の給水用領域２２に入り込み、次第に植裁域の両側辺に位置する植裁用見切り材２０の給水用領域２２に入り込む。入り込んだ水は、当該給水領域２２に形成された給水用細孔群２４から漏出する。それにより、植裁マット５には所要の給水が行われる。
【００３１】
降雨などにより植裁マット５に余剰水が発生したときには、その水は、植裁域の両側辺に位置する植裁用見切り材２０の集水用領域２３、あるいは傾斜下方に位置する植裁用見切り材２０の集水用領域２３に、それぞれの集水用細孔群２５を通って流入し、排水口３４から排出される。図示しないが、排水口３４からの排水をポンプ等で給水口３３に循環させることも可能であり、その場合には、節水に寄与することができる。
【００３２】
上記では、図２に示す植裁用見切り枠構造体４０を傾斜屋根に設置した緑化構造体のための植裁用見切り枠構造体として用いる場合を説明したが、この構成の植裁用見切り枠構造体４０は、平屋根あるいは他の平坦な基板の上に設置した緑化構造体のための植裁用見切り枠構造体としても当然に用いることができる。また、傾斜屋根に用いる場合に、屋根勾配によっては、給水した水が、上位の植裁域に所要量だけ漏出することなく、閉ループをなす給水用領域を単に通過して傾斜下位に位置する植裁用見切り材２０に流下してしまうことも起こり得るので、上位の植裁用見切り材２０に形成される給水用領域２２を両側縁に位置する植裁用見切り材２０に形成される給水用領域２２から独立させるようにしてもよい。また、その場合には、両側縁および下位に位置する植裁用見切り材２０には、給水用細孔群２４を有しないものを用いるようにしてもよい。
【００３３】
図３と図４はそのような場合での植裁用見切り枠構造体４０の一例を示している。また、この例では、植裁域を２つに仕切るための第３の植裁用見切り材２０ａ、およびそれを他の植裁用見切り材２０に接続するための第３の接続用治具３５をも用いている。この植裁用見切り枠構造体４０では、傾斜上位に位置する植裁用見切り材２０は給水用細孔群２４のみを有し、集水用細孔群２５を有しない。また、両側縁と傾斜下位に位置する植裁用見切り材２０は前記のように給水用細孔群２４を有せず、集水用細孔群２５のみを有している。
【００３４】
第３の植裁用見切り材２０ａは、傾斜上位側の植裁域に面する側壁に集水用細孔群２５のみが形成され、傾斜下位側の植裁域に面する側壁に給水用細孔群２４のみが形成されている。また、第３の接続用治具３５は、Ｔ字状であり、側方の接続口３５ａに前記第３の植裁用見切り材２０ａが接続される。図示していないが、Ｔ字部における給水用領域接続部の下流側には適宜の止水堰が立てられており、上流から流れてくる水を積極的に第３の植裁用見切り材２０ａの給水用領域２２に案内するようになっている。
【００３５】
この植裁用見切り枠構造体４０を用いた緑化構造体では、給水口３３から給水された水は、上位の植裁用見切り材２０の給水用細孔群２４から上位の植裁域に給水される。さらに給水用領域２２を流下する水は、第３の接続用治具３５から第３の植裁用見切り材２０ａの給水用領域２２に入り込み、図４に示すように、そこに形成された給水用細孔群２４から漏出して下位の植裁域に給水する。
【００３６】
一方、上位の植裁域に生じた余剰水は、両側縁の植裁用見切り材２０および、図４に示すように第３の植裁用見切り材２０ａに形成した集水用細孔群２５から集水用領域２３内に入り込み、また、下位の植裁域に生じた余剰水は、両側縁および下位の植裁用見切り材２０に形成した集水用細孔群２５から集水用領域２３内に入り込む。そして、接続用治具３２ｂに形成した排水口３４から排水される。
【００３７】
上記のように、本発明によれば、散水管や給水管のような特別の給水設備を植裁域の上に配置しなくても、所要の給水を見切り材を利用して行うことができるので、施工の簡素化、設備の簡素化、低コスト化を図ることができる。また、排水も見切り材を有効に活用して行うことができるので、排水に係る施工および設備も簡素化することができる。
【図面の簡単な説明】
【００３８】
【図１】傾斜屋根の上に設置された緑化構造体の一例を説明するための断面図。
【図２】本発明による植裁用見切り枠構造体の一例を説明するための図。
【図３】本発明による植裁用見切り枠構造体の一例を説明するための図。
【図４】図３に示す植裁用見切り枠構造体を用いた緑化構造体の一部を示す断面図。
【符号の説明】
【００３９】
Ａ…緑化構造体、１…傾斜屋根、３…保水排水基盤材、５…植生マット、６…透水性シート（不織布）、８…土壌、９…植物、１０…植物の根、２０、２０ａ…植裁用見切り材、３０、３１，３２，３５…接続用治具、２１…長手方向に伸びる隔壁、２２…給水用領域、２３…集水用領域、２４…給水用細孔群、２５…集水用細孔群、３３…給水口、３４…排水口、４０…植裁用見切り枠構造体
【図１】
2007089412.tif 000003
【図２】
2007089412.tif 000004
【図３】
2007089412.tif 000005
【図４】
2007089412.tif 000006